(57)【要約】【課題】比較的小さい力でもプラグを容易に抜くことができ、且つ操作の容易なテーブルタップを提供する。【解決手段】このテーブルタップＡは、図１に示すように、２組のプラグ１００の栓刃１００ａが挿入される栓刃挿入口１ａを載置面に対して垂直な側面１ｂに左右方向に開口させたテーブルタップ本体１に、テーブルタップ本体１の載置面と対向する表面部１ｃに外部から押操作可能に設けた操作部１０ａと、この操作部１０ａの押操作時に連動してテーブルタップ本体の側面１ｂより先部を突出させ、栓刃挿入口１ａに栓刃１００ａを挿入しているプラグ１００の栓刃突出面１００ｂを前記先部で反挿入方向に押圧する押出し部１０ｂとからなるプラグ抜き機構部１０を備えたものである。【選択図】　　　　図１
2004063230.tif 000002
【特許請求の範囲】
【請求項１】
１対乃至複数組のプラグの栓刃が挿入される栓刃挿入口を載置面に対して垂直な側面に左右方向に開口させたテーブルタップ本体に、テーブルタップ本体の載置面と対向する表面部に外部から押操作可能に設けた操作部と、この操作部の押操作時に連動してテーブルタップ本体の側面より先部を突出させ、前記栓刃挿入口に栓刃を挿入しているプラグの栓刃突出面を前記先部で反挿入方向に押圧する押出し部とからなるプラグ抜き機構部を備えたことを特徴とするテーブルタップ。
【請求項２】
前記テーブルタップ本体の側面に開口した組み毎の各栓刃挿入口の両側に前記載置面近傍から前記表面部に至る前面開口の溝部を形成して、該溝部内に前記プラグ抜き機構部の押出し部を出没自在に収納してその上端両側を前記溝部内で垂直方向に回動自在に軸支し、これら押出し部の上端部に一端が連結された前記操作部の他端を前記押出し部が前記溝部内に没入している状態で前記テーブルタップ本体の表面部上方に位置させ、前記軸支点を中心として前記操作部を該表面部側に押し下げると、前記軸支点を中心として前記押出し部を前記溝部の前方へ突出させることを特徴とする請求項１記載のテーブルタップ。
【請求項３】
前記テーブルタップ本体の側面に開口した組み毎の各栓刃挿入口の両側に前記載置面近傍から前記表面部に至る前面開口の溝部を形成して、該溝部内に前記プラグ抜き機構部の押出し部を出没自在に収納して、前記プラグ抜き機構部の操作部を前記テーブルタップ本体の表面部に前記側面に対して直交する方向にスライド自在に設けると共に、この操作部の前記側面側の端部と前記押出し部の上端とを垂直方向に回動自在に互いに軸支し、前記操作部を前記側面側へ移動させた状態では、前記押出し部が前記溝部内に収納されて垂下し、前記操作部を前記側面とは反対側に移動させた状態では、前記軸支点の移動に連動して前記押出し部を軸支点を中心として回動させて前記押出し部を前記溝部の前方へ突出させることを特徴とする請求項１記載のテーブルタップ。
【請求項４】
前記操作部の上端がテーブルタップ本体の表面部から離れる方向に常時付勢する付勢ばねを備えたことを特徴とする請求項１記載のテーブルタップ。
【請求項５】
起立させると前記操作部と当接し該操作部の押操作を規制し、前倒させると前記操作部から離れて該操作部の押操作を可能とする可倒式ストッパーを設けたことを特徴とする請求項１記載のテーブルタップ。
【請求項６】
前記テーブルタップ本体の表面部に凹部を設け、押操作される前の前記操作部の上面と前記テーブルタップ本体の表面部とが同一の高さとなるように前記操作部を前記凹部に配設すると共に、前記凹部は、該凹部に配設された前記操作部の下面と前記凹部の上面とが所定の間隔を有するように深さが設定されたことを特徴とする請求項２記載のテーブルタップ。
【請求項７】
前記操作部に開閉可能な扉を支持した開口窓を設け、該扉の前面にプラグを抜脱していない旨を示すと共に、前記開口窓と前記テーブルタップ本体の表面部との間の空間に凸部を設け、該凸部の前面にプラグを抜脱した旨を示し、前記凸部は、前記操作部が押操作されない状態では、前記扉の下方に位置し、前記操作部が押操作された状態では、前記扉を押し開けて前記開口窓より外部に前面を露出させるように高さが設定されたことを特徴とする請求項２記載のテーブルタップ。
【発明の詳細な説明】
【０００１】
【発明の属する技術分野】
本発明は、テーブルタップに関するものである。
【０００２】
【従来の技術】
一般に提供されているテーブルタップは、挿入されたプラグが不用意に抜けることがないように、比較的大きな挟持力でプラグの栓刃を保持している。
【０００３】
【発明が解決しようとする課題】
しかしながら、栓刃の挟持力が大きいため、プラグをテーブルタップから抜くには比較的強い力が必要となり、力の弱い老人や女性にとってはプラグを引き抜く作業が容易ではないという問題があった。
【０００４】
本発明は上記問題点に鑑みて為されたものであって、その目的とするところは、比較的小さい力でもプラグを容易に抜くことができ、且つ操作の容易なテーブルタップを提供することにある。
【０００５】
【課題を解決するための手段】
上記目的を達成するために、請求項１の発明は、１対乃至複数組のプラグの栓刃が挿入される栓刃挿入口を載置面に対して垂直な側面に左右方向に開口させたテーブルタップ本体に、テーブルタップ本体の載置面と対向する表面部に外部から押操作可能に設けた操作部と、この操作部の押操作時に連動してテーブルタップ本体の側面より先部を突出させ、前記栓刃挿入口に栓刃を挿入しているプラグの栓刃突出面を前記先部で反挿入方向に押圧する押出し部とからなるプラグ抜き機構部を備えたものとした。
【０００６】
請求項２の発明は、請求項１記載の発明において、前記テーブルタップ本体の側面に開口した組み毎の各栓刃挿入口の両側に前記載置面近傍から前記表面部に至る前面開口の溝部を形成して、該溝部内に前記プラグ抜き機構部の押出し部を出没自在に収納してその上端両側を前記溝部内で垂直方向に回動自在に軸支し、これら押出し部の上端部に一端が連結された前記操作部の他端を前記押出し部が前記溝部内に没入している状態で前記テーブルタップ本体の表面部上方に位置させ、前記軸支点を中心として前記操作部を該表面部側に押し下げると、前記軸支点を中心として前記押出し部を前記溝部の前方へ突出させるものとした。
【０００７】
請求項３の発明は、請求項１記載の発明において、前記テーブルタップ本体の側面に開口した組み毎の各栓刃挿入口の両側に前記載置面近傍から前記表面部に至る前面開口の溝部を形成して、該溝部内に前記プラグ抜き機構部の押出し部を出没自在に収納して、前記プラグ抜き機構部の操作部を前記テーブルタップ本体の表面部に前記側面に対して直交する方向にスライド自在に設けると共に、この操作部の前記側面側の端部と前記押出し部の上端とを垂直方向に回動自在に互いに軸支し、前記操作部を前記側面側へ移動させた状態では、前記押出し部が前記溝部内に収納されて垂下し、前記操作部を前記側面とは反対側に移動させた状態では、前記軸支点の移動に連動して前記押出し部を軸支点を中心として回動させて前記押出し部を前記溝部の前方へ突出させるものとした。
【０００８】
請求項４の発明は、請求項１記載の発明において、前記操作部の上端がテーブルタップ本体の表面部から離れる方向に常時付勢する付勢ばねを備えたものとした。
【０００９】
請求項５の発明は、請求項１記載の発明において、起立させると前記操作部と当接し該操作部の押操作を規制し、前倒させると前記操作部から離れて該操作部の押操作を可能とする可倒式ストッパーを設けたものとした。
【００１０】
請求項６の発明は、請求項２記載の発明において、前記テーブルタップ本体の表面部に凹部を設け、押操作される前の前記操作部の上面と前記テーブルタップ本体の表面部とが同一の高さとなるように前記操作部を前記凹部に配設すると共に、前記凹部は、該凹部に配設された前記操作部の下面と前記凹部の上面とが所定の間隔を有するように深さが設定されたものとした。
【００１１】
請求項７の発明は、請求項２記載の発明において、前記操作部に開閉可能な扉を支持した開口窓を設け、該扉の前面にプラグを抜脱していない旨を示すと共に、前記開口窓と前記テーブルタップ本体の表面部との間の空間に凸部を設け、該凸部の前面にプラグを抜脱した旨を示し、前記凸部は、前記操作部が押操作されない状態では、前記扉の下方に位置し、前記操作部が押操作された状態では、前記扉を押し開けて前記開口窓より外部に前面を露出させるように高さが設定されたものとした。
【００１２】
【発明の実施の形態】
以下、本発明を実施形態１から実施形態５によって説明する。
（実施形態１）
本実施形態のテーブルタップを図１から図５を用いて説明する。このテーブルタップＡは、図１に示すように、
２組のプラグ１００の栓刃１００ａが挿入される栓刃挿入口１ａを載置面に対して垂直な側面１ｂに左右方向に開口させたテーブルタップ本体１に、テーブルタップ本体１の載置面と対向する表面部１ｃに外部から押操作可能に設けた操作部１０ａと、この操作部１０ａの押操作時に連動してテーブルタップ本体の側面１ｂより先部を突出させ、栓刃挿入口１ａに栓刃１００ａを挿入しているプラグ１００の栓刃突出面１００ｂを前記先部で反挿入方向に押圧する押出し部１０ｂとからなるプラグ抜き機構部１０を備えたものである。
【００１３】
本実施形態では、テーブルタップ本体１の短幅方向となる側面にも、プラグ抜き機構部１０を備えない通常の栓刃挿入口１ａが１ヶ所設けられている。
【００１４】
図２に示すように、テーブルタップ本体１の側面１ｂに開口した組み毎の各栓刃挿入口１ａ，１ａの両側には、載置面近傍から表面部１ｃに至る前面開口の溝部１ｆ・・・が形成されている。
【００１５】
押出し部１０ｂは、下側端に２ヶ所の切り欠き１０ｃ，１０ｃが設けられた櫛歯状に形成され、切り欠き１０ｃ，１０ｃから各栓刃挿入口１ａを逃がすようにして溝部１ｆ内に出没自在に収納され、その上端両側に穿孔された孔１０ｂ’を、テーブルタップ本体の側面１ｂの上端を長手方向に沿って穿孔された孔１ｅと合わせて、支持棒２によって溝部１ｆ内で垂直方向に回動自在に軸支される。
【００１６】
軸支された押出し部１０ｂの外部に臨んだ面とテーブルタップ本体の側面１ｂとは同一面を形成し、栓刃挿入口１ａにプラグ１００が挿入されると、プラグの栓刃突出面１００ｂと押出し部１０ｂとは当接した状態となる。
【００１７】
尚、押出し部１０ｂは、テーブルタップ本体の側面１ｂから内側方向へは、テーブルタップ本体の表面部１ｃと当接するため回動しない。
【００１８】
操作部１０ａは、押出し部１０ｂの上端部に一端が連結され、他端が、押出し部１０ｂが溝部１ｆ内に没入している状態でテーブルタップ本体１の表面部１ｃ上方に位置するように、押出し部１０ｂと一体成形される。
【００１９】
操作部１０ａを表面部１ｃ側へ押し下げると、支持棒２による軸支点を中心として押出し部１０ｂが回動し、押出し部１０ｂの下端側が溝部１ｆの前方方向へ突出する。
【００２０】
また、テーブルタップ本体の表面部１ｃには、押操作された操作部１０ａを逃がすための凹部１ｄが設けられており、操作部１０ａを押し下げる時の移動量が大きくなるようにしている。
【００２１】
上記のように構成されたテーブルタップＡに、プラグ１００を挿入すると、図３（ａ）および図４に示すように、プラグ抜き機構部１０の押出し部１０ｂとプラグ１００の栓刃突出面１００ｂとが当接し、操作部１０ａはテーブルタップ本体の表面部１ｃと所定の間隔を有した上方に位置した状態となる。
【００２２】
この状態で、操作部１０ａをテーブルタップ本体の表面部１ｃ側へ押し下げると、前述したように、押出し部１０ｂが支持棒２による軸支点を中心として回転し、押出し部１０ｂの下端側が溝部１ｆの前方方向へ突出し、図３（ｂ）および図４に示すように、プラグ１００の栓刃突出面１００ｂは、プラグ１００の反挿入方向に押圧されて、プラグ１００がテーブルタップ本体１から外れる。
【００２３】
かかるテーブルタップにおいては、プラグ１００をテーブルタップから引き抜くことなく、所謂“てこの原理”を用いて、操作部１０ａを押すだけで容易にプラグ１００を抜くことができる。また、テーブルタップ本体１の栓刃挿入口１ａをテーブルタップ本体の側面１ｂに設け、操作部１０ａをテーブルタップ本体の表面部１ｃに設けたことで、テーブルタップを大きくすることなることなく、操作部１０ａの面積を広く取ることができ、操作部１０ａの押操作が容易になると共に、手のひらや足などでも操作でき、高齢者や女性、身体障害者でも操作が可能となる。
【００２４】
尚、図５（ａ）に示すように、操作部１０ａとテーブルタップ本体表面部１ｃとの間に、操作部１０ｂの上端がテーブルタップ本体１の表面部１ｃから離れる方向に常時付勢する付勢ばね３を配置してもよい。付勢ばね３を配置することで、操作部１０ａを押操作しない状態では、常に押出し部１０ｂが溝部１ｆまで戻り、次にプラグを挿入する時に、挿入しやすくなる。付勢バネ３の形状は、図５（ａ）の形状に限定するものではなく、例えば図５（ｂ）のように、コイルばね形状でもよい。
【００２５】
（実施形態２）
本実施形態における基本構成は実施形態１と共通するために共通する部分については同一の符号を付して説明を省略し、本実施形態の特徴となる部分についてのみ詳細に説明する。
【００２６】
則ち本実施形態のテーブルタップＢは、図６および図７（ａ）〜（ｃ）に示すように、実施形態１と比較して、可倒式ストッパー５を備えた点に特徴がある。
【００２７】
可倒式ストッパー５は、縦片５ａと横片５ｂとからなる略Ｌ字形に形成され、テーブルタップ本体１の長手方向に可倒式ストッパー５の縦片５ａを並行させるようにして、テーブルタップ本体の表面部１ｃ上に配置される。縦片５ａは、その大部分が操作部１０ａとテーブルタップ本体の表面部１ｃとの間に位置し、横片５ｂは、操作部１０ａから横に外れた位置のテーブルタップ本体の表面部１ｃ上に配置される。
【００２８】
可倒式ストッパー５は、縦片５ａの側端が軸５ｃによってテーブルタップ本体１の表面部１ｃに軸支されており、縦片５ａの側端を中心として、テーブルタップ本体表面部１ｃに前倒された状態から略直角に垂立した状態まで回動自在に設けられている。
【００２９】
図７（ｃ）に示すように、可倒式ストッパー５の横片５ｂを垂直に起こすようにして可倒式ストッパー５を起立させると、可倒式ストッパー５の縦片５ａの上側端と、操作部１０ａの下面とが対向し、操作部１０ａを押操作しようとしても、可倒式ストッパー５の縦片５ａの上側端と操作部１０ａとが当接し、押操作が規制された状態となる。
【００３０】
また、図７（ｂ）に示すように、可倒式ストッパー５をテーブルタップ本体表面部１ｃと並行になるように前倒させると、可倒式ストッパー５の縦片５ａが操作部１０ａから離れて、操作部１０ａの押操作が可能な状態となる。
【００３１】
かかるテーブルタップにおいては、可倒式ストッパー５を起立させておけば、操作部１０ａに不用意に物などが当たり、意図しないのにプラグが外れる事態を防ぐことができる。可倒式ストッパー５を前倒させれば、容易にプラグを抜くことができる。
【００３２】
（実施形態３）
本実施形態における基本構成は実施形態１又は２と共通するために共通する部分については同一の符号を付して説明を省略し、本実施形態の特徴となる部分についてのみ詳細に説明する。
【００３３】
則ち、プラグが意図しないのに外れる事態を防ぐために、実施形態２では可倒式ストッパーを設けたが、本実施形態は、別の構成によって上記事態を防ぐようにした点に特徴がある。
【００３４】
本実施形態のテーブルタップＣは、図８に示すように、操作部１０ａと押出し部１０ｂとが、夫々の外部に臨む面が略直角となるように一体成形されている。
【００３５】
また、テーブルタップ本体の表面部１ｃには、操作部１０ａと略同等の形状をした凹部１ｅが設けられ、実施形態１又は２と同様に押出し部１０ｂの上側端をテーブルタップ本体側面に支持棒２によって軸支して、押出し部１０ｂをテーブルタップ本体側面１ｂの溝部１ｆに配置すると、操作部１０ａが凹部１ｅに配設され、操作部１０ａの上面とテーブルタップ本体の表面部１ｃとは同一の高さとなる。
【００３６】
凹部１ｅは、押操作される前の操作部１０ａの下面と凹部１ｅの上面とが所定の間隔を有するように深さが設定されており、操作部１０ａは、操作部１０ａと凹部１ｅとの間の空間を用いて、押し下げ操作され、それに連動して押出し部１０ｂが軸支点を中心として回動する。
【００３７】
かかるテーブルタップにおいては、押操作前の操作部１０ａがテーブルタップ本体の表面部１ｃと同一の高さであり、操作部１０ａをテーブルタップ本体１の凹部１ｅに沈み込ませるように押圧してプラグを抜くので、操作部１０ａに不用意に物などが当たり、意図しないのにプラグが外れる事態を防ぐことができる。
【００３８】
（実施形態４）
本実施形態における基本構成は実施形態１と共通するために共通する部分については同一の符号を付して説明を省略し、本実施形態の特徴となる部分についてのみ詳細に説明する。
【００３９】
則ち本実施形態のテーブルタップは、使用者にプラグの状態を知らせる機能を追加した点に特徴がある。
【００４０】
本実施形態のテーブルタップＤは、図９および図１０（ａ），（ｂ）に示すように、操作部１０ａに開口窓を設け、該開口窓に扉１０ｃを嵌め込み、扉１０ｃの上側端に設けられた凸部１０ｅと開口窓の内壁部に設けた凹部（図示せず）とを嵌め合わせて開口窓に扉１０ｃを枢支させ、扉１０ｃを、その枢支点を中心として回動自在に構成する。扉１０ｃの外部に臨む前面には、プラグを抜脱していない旨を示す“通常状態”などの表示を行う。
【００４１】
一方、扉１０ｃの裏面とテーブルタップ本体の表面部１ｃとの間の空間には、横幅が扉１０ｃの横幅と略同等であり縦断面が略直角三角形の凸部６を設け、凸部６の斜面上に、プラグを抜脱した旨を示す“解除状態”などの表示を行う。
【００４２】
凸部６は、操作部１０ａが押操作されない状態では、扉１０ｃの裏面と対向する場所に位置し、テーブルタップ本体１の前面から見ることはできないが、操作部１０ａが押操作された状態では、扉１０ｃを裏面から押し開けて操作部１０ａの開口窓より外部に斜面を露出させるように高さが設定されている。
【００４３】
上記のように構成されるテーブルタップにおいては、プラグ１００が栓刃挿入口１ａに挿入された状態では、凸部６が扉１０ｃの裏面に隠れて、扉１０ｃは開口窓に閉じた状態となり、テーブルタップ本体１の前面からは、扉１０ｃの前面に書かれた“通常状態”の表示を見ることができる。
【００４４】
操作部１０ａが押操作されると、前述したように、凸部６が扉１０ｃを裏面から押し開けて操作部１０ａの開口窓より外部に斜面を露出させ、扉１０ｃは凸部６に押されて略垂立した状態となり、テーブルタップ本体１の前面からは、扉１０ｃの前面に書かれた“通常状態”の表示は見えずに、凸部６の斜面にかかれた“解除状態”の表示が見えるようになる。
【００４５】
かかるテーブルタップにおいては、テーブルタップ前面に表示される“通常状態”もしくは“解除状態”などの表示を見ることで、プラグがテーブルタップに挿入された状態か、抜かれた状態かが一目でわかり、プラグが中途半端に差された状態を無くすことができる。
【００４６】
尚、“通常状態”や“解除状態”などの表示は、これらの文字列に限定されるものではなく、別の文字列でもよく、また、扉や凸部に示した色の違いによってプラグの状態を示すようにしてもよい。
【００４７】
（実施形態５）
本実施形態における基本構成は実施形態１と共通するために共通する部分については同一の符号を付して説明を省略し、本実施形態の特徴となる部分についてのみ詳細に説明する。
【００４８】
本実施形態は、実施形態１に対して、プラグ抜き機構部の構成が異なる点に特徴がある。
【００４９】
本実施形態のテーブルタップＥのプラグ抜き機構部２０は、操作部２０ａと押出し部２０ｂとを有し、操作部２０ａをスライドさせるように押操作するとプラグが抜けるように構成される。
【００５０】
操作部２０ａは、テーブルタップ本体の表面部１ｃに側面１ｂに対して直交する方向にスライド自在に設けたスライド板２０ｃに、スライド方向に押操作するための突部２０ｄを設けて形成される。
【００５１】
押出し部１０ｂは、実施形態１と同様に、下側端に２ヶ所の切り欠きが設けられた櫛歯状に形成され、その切り欠きから各栓刃挿入口１ａを逃がすようにして溝部１ｆ内に出没自在に収納され、その上端両側に穿孔された孔（図示せず）を、操作部２０ａの側面１ｂ側の端部に設けられた孔（図示せず）と合わせるようにして、支持棒７によって垂直方向に回動自在に互いに軸支される。
【００５２】
操作部２０ａを側面１ｂ側へ移動させた状態では、押出し部２０ｂが溝部１ｆ内に収納されて垂下し、操作部２０ａを側面１ｂとは反対側に移動させた状態では、支持棒７による軸支点の移動に連動して押出し部２０ｂが軸支点を中心として回動して、押出し部２０ｂの下端側が溝部１ｆの前方へ突出した状態となる。
【００５３】
上記のように構成されたテーブルタップＥに、プラグ１００を挿入すると、図１１（ａ）に示すように、押出し部２０ｂとプラグ１００の栓刃突出面１００ｂとが当接し、操作部２０ａは、側面１ｂ側にスライドした状態となる。
【００５４】
この状態で、操作部２０ａを側面１ｂと反対側の側面に押操作（スライド操作）すると、図１１（ｂ）に示すように、押出し部２０ｂが前述したように支持棒７による軸支点を中心として回動し、押出し部２０ｂの下端側が溝部１ｆの前方方向へ突出し、プラグ１００の栓刃突出面１００ｂは、プラグ１００の反挿入方向に押圧されて、プラグ１００がテーブルタップ本体１から外れる。
【００５５】
かかるテーブルタップにおいては、実施形態１と同様に、プラグ１００をテーブルタップから引き抜くことなく、操作部１０ａをスライドするように押すだけで、容易にプラグ１００を抜くことができる。
【００５６】
【発明の効果】
請求項１の発明は、１対乃至複数組のプラグの栓刃が挿入される栓刃挿入口を載置面に対して垂直な側面に左右方向に開口させたテーブルタップ本体に、テーブルタップ本体の載置面と対向する表面部に外部から押操作可能に設けた操作部と、この操作部の押操作時に連動してテーブルタップ本体の側面より先部を突出させ、前記栓刃挿入口に栓刃を挿入しているプラグの栓刃突出面を前記先部で反挿入方向に押圧する押出し部とからなるプラグ抜き機構部を備えたので、操作部を押操作すると、栓刃挿入口に挿入されたプラグの栓刃突出面が押出し部に押圧され、容易にプラグを抜くことができ、また、テーブルタップ本体の栓刃挿入口をテーブルタップ本体の載置面に対して垂直な側面に設け、前記操作部をテーブルタップ本体の載置面と対向する前面に設けたことで、テーブルタップを大きくすることなることなく、前記操作部の面積を広く取ることができ、操作部の押操作が容易になるという効果がある。
【００５７】
請求項２の発明は、請求項１記載の発明において、前記テーブルタップ本体の側面に開口した組み毎の各栓刃挿入口の両側に前記載置面近傍から前記表面部に至る前面開口の溝部を形成して、該溝部内に前記プラグ抜き機構部の押出し部を出没自在に収納してその上端両側を前記溝部内で垂直方向に回動自在に軸支し、これら押出し部の上端部に一端が連結された前記操作部の他端を前記押出し部が前記溝部内に没入している状態で前記テーブルタップ本体の表面部上方に位置させ、前記軸支点を中心として前記操作部を該表面部側に押し下げると、前記軸支点を中心として前記押出し部を前記溝部の前方へ突出させるので、操作部をテーブルタップ本体の表面部方向へ押し操作してプラグを抜く請求項１のプラグ抜き機構部を実現できるという効果がある。
【００５８】
請求項３の発明は、請求項１記載の発明において、前記テーブルタップ本体の側面に開口した組み毎の各栓刃挿入口の両側に前記載置面近傍から前記表面部に至る前面開口の溝部を形成して、該溝部内に前記プラグ抜き機構部の押出し部を出没自在に収納して、前記プラグ抜き機構部の操作部を前記テーブルタップ本体の表面部に前記側面に対して直交する方向にスライド自在に設けると共に、この操作部の前記側面側の端部と前記押出し部の上端とを垂直方向に回動自在に互いに軸支し、前記操作部を前記側面側へ移動させた状態では、前記押出し部が前記溝部内に収納されて垂下し、前記操作部を前記側面とは反対側に移動させた状態では、前記軸支点の移動に連動して前記押出し部を軸支点を中心として回動させて前記押出し部を前記溝部の前方へ突出させるので、操作部をテーブルタップ本体の表面部の横方向へ押し操作してプラグを抜く請求項１の連動機構部を実現できるという効果がある。
【００５９】
請求項４の発明は、請求項１記載の発明において、前記操作部の上端がテーブルタップ本体の表面部から離れる方向に常時付勢する付勢ばねを備えたので、押操作を終えるとプラグ抜き機構部が操作前の状態へと戻り、次にプラグを挿入する時に挿入しやすいという効果がある。
【００６０】
請求項５の発明は、請求項１記載の発明において、起立させると前記操作部と当接し該操作部の押操作を規制し、前倒させると前記操作部から離れて該操作部の押操作を可能とする可倒式ストッパーを設けたので、可倒式ストッパーを起立させると、前記操作部に不用意に物などが当たり、意図しないのにプラグが外れる事態を防ぐことができ、可倒式ストッパーを前倒させれば、容易にプラグを抜くことができるという効果がある。
【００６１】
請求項６の発明は、請求項２記載の発明において、前記テーブルタップ本体の表面部に凹部を設け、押操作される前の前記操作部の上面と前記テーブルタップ本体の表面部とが同一の高さとなるように前記操作部を前記凹部に配設すると共に、前記凹部は、該凹部に配設された前記操作部の下面と前記凹部の上面とが所定の間隔を有するように深さが設定されたので、前記操作部をがテーブルタップ本体から突出しておらず、前記操作部に不用意に物などが当たり、意図しないのにプラグが外れる事態を防ぐことができるという効果がある。
【００６２】
請求項７の発明は、請求項２記載の発明において、前記操作部に開閉可能な扉を支持した開口窓を設け、該扉の前面にプラグを抜脱していない旨を示すと共に、前記開口窓と前記テーブルタップ本体の表面部との間の空間に凸部を設け、該凸部の前面にプラグを抜脱した旨を示し、前記凸部は、前記操作部が押操作されない状態では、前記扉の下方に位置し、前記操作部が押操作された状態では、前記扉を押し開けて前記開口窓より外部に前面を露出させるように高さが設定されたので、前記扉の前面又は前記凸部の前面に示された表示を見ることによって、プラグの状態が一目でわかり、プラグが中途半端に差された状態を無くすことができるという効果がある。
【図面の簡単な説明】
【図１】（ａ）実施形態１のテーブルタップの上面図である。
（ｂ）同上の側面図である。
（ｃ）同上の正面図である。
【図２】同上の部分分解斜視図である。
【図３】（ａ）同上でプラグが挿入された状態を説明する図である。
（ｂ）同上の操作部を押操作した状態を説明する図である。
【図４】同上の連動機構部の動作を説明する斜視図である。
【図５】同上の付勢ばねを説明する図である。
【図６】（ａ）実施形態２のテーブルタップの上面図である。
（ｂ）同上の側面図である。
（ｃ）同上の正面図である。
【図７】（ａ）同上の部分分解斜視図である。
（ｂ）同上の可倒式ストッパーを前倒させた状態を示す図である。
（ｃ）同上の可倒式ストッパーを起立させた状態を示す図である。
【図８】実施形態３のテーブルタップを説明する説明図である。
【図９】実施形態４のテーブルタップを説明する説明図である。
【図１０】（ａ）同上で連動機構部が押操作される前の状態を説明する図である。
（ｂ）同上で連動機構部が押操作された時の状態を説明する図である。
【図１１】（ａ）実施形態５のテーブルタップでプラグが挿入された状態を説明する図である。
（ｂ）同上で操作部をスライドさせた状態を説明する図である。
【符号の説明】
１　テーブルタップ本体
１ａ　栓刃挿入口
１ｂ　テーブルタップ本体側面
１ｃ　テーブルタップ本体表面部
２　支持棒
１０　プラグ抜き機構部
１０ａ　操作部
１０ｂ　押出し部
１００　プラグ
１００ａ　栓刃
１００ｂ　栓刃突出面
Ａ〜Ｅ　テーブルタップ
【図１】
2004063230.tif 000003
【図２】
2004063230.tif 000004
【図３】
2004063230.tif 000005
【図４】
2004063230.tif 000006
【図５】
2004063230.tif 000007
【図６】
2004063230.tif 000008
【図７】
2004063230.tif 000009
【図８】
2004063230.tif 000010
【図９】
2004063230.tif 000011
【図１０】
2004063230.tif 000012
【図１１】
2004063230.tif 000013